(57)【特許請求の範囲】
【請求項１】
複数の食器からなる一方の食器群と、前記一方の食器群とは異なる複数の食器からなる他方の食器群とで構成される食器セットであって、
前記一方の食器群における各食器の共通の部分にはそれぞれ異なる特定色を含む絵柄が描かれており、
前記他方の食器群における各食器には、前記一方の食器群における各食器の共通の部分に彩色した前記特定色が全て彩色された絵柄が描かれ、
前記一方の食器群における任意の食器と前記他方の食器群における任意の食器とを重ねて組合せるものであることを特徴とする食器セット。
【請求項２】
前記他方の食器群には、異なる絵柄が描かれた食器が含まれていることを特徴とする請求項１に記載の食器セット。
【請求項３】
前記一方の食器群は複数のコーヒーカップからなり、前記他方の食器群は複数のソーサからなることを特徴とする請求項１又は２に記載の食器セット。
【請求項４】
前記一方の食器群は複数のコーヒーカップからなり、各コーヒーカップの共通の部分は把手であることを特徴とする請求項１―３のいずれかに記載の食器セット。
【請求項５】
前記一方の食器群は複数の蓋からなり、前記他方の食器群は複数の碗からなり、前記共通の部分は前記蓋の裏面であることを特徴とする請求項１又は２に記載の食器セット。
【請求項６】
複数の食器からなる一方の食器群と、前記一方の食器群とは異なる複数の食器からなる他方の食器群とで構成される食器セットであって、前記一方の食器群における各食器の共通の部分にはそれぞれ異なる特定色を含む絵柄が描かれており、前記他方の食器群における各食器には、前記一方の食器群における各食器の共通の部分に彩色した特定色が全て彩色された絵柄が描かれ、前記一方の食器群における任意の食器と前記他方の食器群における任意の食器とを重ねて組合せるものであることを特徴とする食器セットを準備し、
前記一方の食器群から任意の食器である一方の選択食器を選択し、
前記他方の食器群から任意の食器である他方の選択食器を選択し、
前記一方の選択食器と前記他方の選択食器とを組合せて使用することを特徴とする食器セットの使用方法。
【発明の詳細な説明】
【技術分野】
【０００１】
本発明は、特定色を含むデザインを施した食器セット、及び食器セットの使用方法に関するものである。
【背景技術】
【０００２】
日常生活において、コーヒーカップとソーサ、ティーカップとスプーン、又は蓋と碗など、一方の食器と他方の食器とを組合せて使用するものがある。このような一方の食器と他方の食器とを組合せて使用するには、デザインや色合いにおいて調和がとれたものであることが望ましく、また、組合せたときに楽しい気分にさせてくれるとさらに望ましい。
【０００３】
特許文献１には、カップとソーサの組み合わせにおいて、カップに鏡面を設け、ソーサに置いたときにソーサに描いた絵がカップの鏡面に映るようにした事項が記載されている。
【先行技術文献】
【特許文献】
【０００４】
特許文献１：実開昭６１−９７９７３号公報
【発明の概要】
【発明が解決しようとする課題】
【０００５】
しかしながら、特許文献１に記載のものにおけるカップとソーサの組み合わせは、洗っているときなどにカップかソーサのいずれかが割れてしまうと組合せができなくなってしまい、残った方の食器が無駄になってしまうという問題があった。また、特許文献１に記載のものに限らず、陶器や磁器やガラスからなる一方の食器と陶器や磁器やガラスからなる他方の食器とを組合せて使用するものにおいては、いずれかの食器が割れたり欠けたりして組合せが不可能になることがあった。
さらに、日常使用する食器であれば、繰り返し使用することでデザインや色合いに飽きがくる恐れがあるという問題があった。
【０００６】
本発明は、上記問題点を解決して、一方の食器又は他方の食器のいずれかが割れたり欠けたりしても別の食器を選択して組合せを継続できるとともに、食器の組合せを変更して飽きのこない食器の組合せを実現することを課題とする。
【課題を解決するための手段】
【０００７】
上記課題を解決するために本発明は、複数の食器からなる一方の食器群と、前記一方の食器群とは異なる複数の食器からなる他方の食器群とで構成される食器セットであって、
前記一方の食器群における各食器の共通の部分にはそれぞれ異なる特定色を含む絵柄が描かれており、
前記他方の食器群における各食器には、前記一方の食器群における各食器の共通の部分に彩色した前記特定色が全て彩色された絵柄が描かれ、
前記一方の食器群における任意の食器と前記他方の食器群における任意の食器とを重ねて組合せるものであることを特徴とする食器セットを提供するものである。
【０００８】
この構成により、一方の食器群における各食器の共通の部分に彩色した特定色が他方の食器群における各食器全て彩色された絵柄が描かれたことで、任意の一方の食器に対して任意の他方の食器を選択して組合せても色合いが調和するため、一方の食器又は他方の食器のいずれかが割れたり欠けたりしても別の食器を選択して組合せを継続できるとともに、一方の食器群のいずれかの食器を選択して他方の食器群の任意の食器と組合せても満足でき、組合せを変えることで飽きのこない食器の組合せを実現することができる。
【０００９】
食器セットであって、前記他方の食器群には、異なる絵柄が描かれた食器が含まれている構成としてもよい。
【００１０】
この構成により、飽きのこない食器の組合せを実現することができる。
【００１１】
食器セットであって、前記一方の食器群は複数のコーヒーカップからなり、前記他方の食器群は複数のソーサからなる構成としてもよい。
【００１２】
この構成により、コーヒーカップとソーサの組合せにおいて、いずれかが割れたり欠けたりしても別の食器を選択して組合せを継続できるとともに、任意のコーヒーカップを選択して任意のソーサと組合せても色合いが調和して満足でき、飽きのこない食器の組合せを実現することができる。
【００１３】
食器セットであって、前記一方の食器群は複数のコーヒーカップからなり、各コーヒーカップの共通の部分は把手である構成としてもよい。
【００１４】
この構成により、複数のコーヒーカップの把手部分にそれぞれ異なる特定色を含む絵柄が描かれ、複数のソーサには特定色が全て彩色された絵柄が描かれたことで、任意のコーヒーカップに対して任意のソーサを選択して組合せても色合いが調和するため、コーヒーカップかソーサが割れたり欠けたりしても別のコーヒーカップ又はソーサを選択して組合せを継続できるとともに、別のコーヒーカップを選択して任意のソーサと組合せても色合いが調和して満足でき、飽きのこない食器の組合せを実現することができる。
【００１５】
食器セットであって、前記一方の食器群は複数の蓋からなり、前記他方の食器群は複数の碗からなり、前記共通の部分は前記蓋の裏面である構成としてもよい。
【００１６】
この構成により、複数の蓋の裏面部分にそれぞれ異なる特定色を含む絵柄が描かれ、複数の碗には特定色が全て彩色された絵柄が描かれたことで、蓋か碗が割れたり欠けたりしても別の蓋又は碗を選択して組合せを継続できるとともに、別の蓋を選択して任意の碗と組合せても色合いが調和して満足でき、飽きのこない食器の組合せを実現することができる。
【００１７】
また、上記課題を解決するために本発明は、複数の食器からなる一方の食器群と、前記一方の食器群とは異なる複数の食器からなる他方の食器群とで構成される食器セットであって、前記一方の食器群における各食器の共通の部分にはそれぞれ異なる特定色を含む絵柄が描かれており、前記他方の食器群における各食器には、前記一方の食器群における各食器の共通の部分に彩色した特定色が全て彩色された絵柄が描かれ、前記一方の食器群における任意の食器と前記他方の食器群における任意の食器とを重ねて組合せるものであることを特徴とする食器セットを準備し、
前記一方の食器群から任意の食器である一方の選択食器を選択し、
前記他方の食器群から任意の食器である他方の選択食器を選択し、
前記一方の選択食器と前記他方の選択食器とを組合せて使用することを特徴とする食器セットの使用方法を提供するものである。
【００１８】
この構成により、一方の食器群における各食器の共通の部分に彩色した特定色が全て彩色された絵柄が他方の食器群における各食器に描かれたことで、一方の食器又は他方の食器のいずれかが割れたり欠けたりしても別の食器を選択して組合せを継続できるとともに、一方の食器群のいずれかの食器を選択して他方の食器群の任意の食器と組合せても色合いが調和して満足でき、組合せを変えることで飽きのこない食器の組合せを実現することができる。
【発明の効果】
【００１９】
本発明の食器セット、及び食器セットの使用方法により、一方の食器又は他方の食器のいずれかが割れたり欠けたりしても別の食器を選択して組合せを継続できるとともに、食器の組合せを変更して飽きのこない食器の組合せを実現することができる。
【図面の簡単な説明】
【００２０】
【図１】本発明の実施例１の食器セットにおける一方の食器群を説明する図である。
【図２】本発明の実施例１の食器セットにおける他方の食器群を説明する図である。
【図３】本発明の実施例１の食器セットにおける一方の食器と他方の食器を組合せた第１の例を示す図である。
【図４】本発明の実施例１の食器セットにおける一方の食器と他方の食器を組合せた第２の例を示す図である。
【図５】本発明の実施例１の食器セットにおける他方の食器の別の例を示す図である。
【図６】本発明の実施例２の食器セットを説明する図である。
【図７】本発明の実施例２の食器セットにおける第１の組合せ例を示す図である。
【図８】本発明の実施例２の食器セットにおける第２の組合せ例を示す図である。
【発明を実施するための形態】
【実施例１】
【００２１】
本発明の実施例１における食器セットについて、図１〜図５を参照して説明する。図１は、本発明の実施例１の食器セットにおける一方の食器群を説明する図である。図２は、本発明の実施例１の食器セットにおける他方の食器群を説明する図である。図３は、本発明の実施例１の食器セットにおける一方の食器と他方の食器を組合せた第１の例を示す図である。図４は、本発明の実施例１の食器セットにおける一方の食器と他方の食器を組合せた第２の例を示す図である。図５は、本発明の実施例１の食器セットにおける他方の食器の別の例を示す図である。
【００２２】
（食器セット）
実施例１における食器セットは、陶器製の一方の食器群１００と他方の食器群２００とからなる。一方の食器群１００は、図１に示すように、一方の食器であるコーヒーカップ１０（１０Ｇ、１０Ｒ、１０Ｂ）が３個含まれている。また、他方の食器群２００は、図２に示すように、ソーサ２０が３個含まれている。
【００２３】
そして、コーヒーカップ１０（１０Ｇ、１０Ｒ、１０Ｂ）のカップ本体１の表面は黒地に金色の絵柄が描かれている（図示せず）。また、コーヒーカップ１０（１０Ｇ、１０Ｒ、１０Ｂ）の共通の部分である把手２には、それぞれ異なる色の特定色が彩色されている。すなわち、コーヒーカップ１０Ｇの把手２には特定色である緑色Ｇが彩色され、コーヒーカップ１０Ｒの把手２には特定色である赤色Ｒが彩色され、コーヒーカップ１０Ｂの把手２には特定色である青色Ｂが彩色されている。
【００２４】
ソーサ２０の表面には、図２に示すように、コーヒーカップ１０（１０Ｇ、１０Ｒ、１０Ｂ）の共通の部分である把手２に彩色された全ての特定色、すなわち、緑色Ｇ、赤色Ｒ、及び青色Ｂを含む色で絵柄が描かれている。
【００２５】
このようなコーヒーカップ１０（１０Ｇ、１０Ｒ、１０Ｂ）とソーサ２０とにおいて、例えば、図３に示すようなコーヒーカップ１０Ｇとソーサ２０とを組合せた場合、コーヒーカップ１０Ｇの共通の部分である把手２に緑色Ｇの特定色が彩色され、ソーサ２０にも緑色Ｇが彩色されているため、色合いが調和し満足のいく組合せができる。
【００２６】
また、図４に示すようなコーヒーカップ１０Ｒとソーサ２０とを組合せた場合、コーヒーカップ１０Ｒの共通の部分である把手２に赤色Ｇの特定色が彩色され、ソーサ２０にも赤色Ｇが彩色されているため、色合いが調和し満足のいく組合せができる。
【００２７】
図５に示す他方の食器群２００は、ソーサ２０とは異なる絵柄が描かれたソーサ３０が含まれた構成をしている。この場合もソーサ３０には緑色Ｇ、赤色Ｒ、及び青色Ｂの３色が彩色されている。このため、一方の食器群１００におけるいずれのコーヒーカップと組み合せても色合いの調和した満足のいく組合せを実現できる。このように、他方の食器群には、異なる絵柄が描かれた食器が含まれている構成としてもよい。
【００２８】
なお、実施例１における食器セットは、陶器製の一方の食器群と他方の食器群とからなる構成としたが、必ずしもこれに限定されず適宜変更が可能である。例えば、磁器製であってもよいし、ガラス製であってもよく、任意の素材で構成されていてよい。
【００２９】
また、実施例１においては、一方の食器群は３個のコーヒーカップからなり、他方の食器群は３個のソーサからなる構成としたが、必ずしもこれに限定されず適宜変更が可能である。例えば、いずれの食器群も４個以上の食器から構成してもよいし、２個の食器から構成してもよい。また、一方の食器群のコーヒーカップの数と他方の食器群のソーサの数とを異ならせてもよい。
【００３０】
さらに、実施例１においては、共通の部分である把手２に彩色した特定色を、緑色Ｇ、赤色Ｒ、及び青色Ｂとしたが、必ずしもこれに限定されず適宜変更が可能である。例えば、黄色、灰色、及び黒色としてもよいし、任意の色を特定色として彩色させることができる。
【００３１】
（食器セットの使用方法）
一方の食器群１００から任意のコーヒーカップ１０を選択して一方の選択食器とし、また、他方の食器群２００から任意のソーサ２０を選択して他方の選択食器とする。そして、一方の選択食器と他方の選択食器とを組合せて使用する。この際、他方の食器群２００における３個のソーサ２０には全て一方の食器群１００におけるコーヒーカップ１０（１０Ｇ、１０Ｒ、１０Ｂ）の共通の部分であるそれぞれの把手２に彩色された緑色Ｇ、赤色Ｒ、及び青色Ｂが全て彩色されていることで、色合いが調和して、どのコーヒーカップ１０を選択してもソーサ２０と組み合わせて使用することができる。
【００３２】
また、その日の気分に合わせて、一方の選択食器を別のコーヒーカップに替えて他方の選択食器と組み合わせてもよい。逆に一方の選択食器に組せる他方の選択食器を別のソーサに替えて組合せを楽しむことができる。いずれの場合も色合いが調和して満足して組合せることができる。
【００３３】
このように、実施例１においては、複数の食器からなる一方の食器群と、前記一方の食器群とは異なる複数の食器からなる他方の食器群とで構成される食器セットであって、
前記一方の食器群における各食器の共通の部分にはそれぞれ異なる特定色を含む絵柄が描かれており、
前記他方の食器群における各食器には、前記一方の食器群における各食器の共通の部分に彩色した前記特定色が全て彩色された絵柄が描かれたことを特徴とする食器セットにより、一方の食器群における各食器の共通の部分に彩色した特定色が全て彩色された絵柄が他方の食器群における各食器に描かれたことで、一方の食器又は他方の食器のいずれかが割れたり欠けたりしても色合いの調和する別の食器を選択して組合せを継続できるとともに、一方の食器群のいずれかの食器を選択して他方の食器群の任意の食器と組合せても色合いが調和して満足でき、組合せを変えることで飽きのこない食器の組合せを実現することができるという大きな効果を奏するものである。
【００３４】
また、実施例１においては、複数の食器からなる一方の食器群と、前記一方の食器群とは異なる複数の食器からなる他方の食器群とで構成される食器セットであって、前記一方の食器群における各食器の共通の部分にはそれぞれ異なる特定色を含む絵柄が描かれており、前記他方の食器群における各食器には、前記一方の食器群における各食器の共通の部分に彩色した前記特定色が全て彩色された絵柄が描かれたことを特徴とする食器セットを準備し、
前記一方の食器群から任意の食器である一方の選択食器を選択し、
前記他方の食器群から任意の食器である他方の選択食器を選択し、
前記一方の選択食器と前記他方の選択食器とを組合せて使用することを特徴とする食器セットの使用方法により、一方の食器群における各食器の共通の部分に彩色した特定色が全て彩色された絵柄が描かれたことで、一方の食器又は他方の食器のいずれかが割れたり欠けたりしても色合いの調和する別の食器を選択して組合せを継続できるとともに、一方の食器群のいずれかの食器を選択して他方の食器群の任意の食器と組合せても色合いが調和して満足でき、組合せを変えることで飽きのこない食器の組合せを実現することができるという大きな効果を奏するものである。
【実施例２】
【００３５】
本発明の実施例２は、一方の食器群が蓋物の碗で構成され、他方の食器群が蓋物の蓋で構成されている点で実施例１と異なっている。実施例２について図６−図８を参照して説明する。図６は、本発明の実施例２の食器セットを説明する図であり、（ａ）は共通の部分である碗内面において梅の葉に緑色Ｇが彩色され、（ｂ）は共通の部分である碗内面において梅の花に赤色Ｒが彩色されている。図７は、本発明の実施例２の食器セットにおける第１の組合せ例を示す図である。図８は、本発明の実施例２の食器セットにおける第２の組合せ例を示す図である。
【００３６】
実施例２における一方の食器群３００は、陶器からなる蓋物の２個の碗４０（４０Ｇ、４０Ｒ）で構成されている（図６−図８参照）。また、他方の食器群４００は、陶器製からなる蓋物の蓋５０、６０を２個有している（図６―図８参照）。
【００３７】
そして、碗４０（４０Ｇ、４０Ｒ）の碗内面４２には梅の実の絵柄が描かれた４０Ｇと梅の花の絵柄が描かれた４０Ｒがある。また、碗４０（４０Ｇ、４０Ｒ）の共通の部分である碗内面４２には、それぞれ異なる特定色が彩色されている。すなわち、碗４０Ｇの碗内面４２には梅の葉に特定色である緑色Ｇが彩色され（図６（ａ）参照）、碗４０Ｒの蓋裏面４２には梅の花に特定色である赤色Ｒが彩色されている（図６（ｂ）参照）。
【００３８】
図７は、本発明の実施例２の食器セットにおける第１の組合せ例を示す。蓋物の蓋５０の表面には、梅の花の絵柄が描かれ、また、碗４０（４０Ｇ、４０Ｒ）の共通の部分である碗内面４２に彩色された全ての特定色、すなわち、緑色Ｇ、及び赤色Ｒを含む色が彩色されて絵柄が描かれている。
【００３９】
図８は、本発明の実施例２の食器セットにおける第２の組合せ例を示す。蓋物の蓋６０の表面には、蓋５０とは異なる梅の花の絵柄が描かれている。また、碗４０（４０Ｇ、４０Ｒ）の共通の部分である碗内面４２に彩色された全ての特定色、すなわち、緑色Ｇ、及び赤色Ｒを含む色が彩色されている。
【００４０】
ここで、一方の食器群３００における各食器の共通の部分に描かれた特定色が全て他方の食器群４００に彩色されていてどの組合せにおいても調和がとれる。また、実施例２においては、一方の食器群にも他方の食器群にも梅が描かれていることで、色合いの調和に加えて、梅というテーマが共通している点でも組合せの調和が図られている。
【００４１】
なお、実施例２における食器セットは、陶器製の一方の食器群と他方の食器群とからなる構成としたが、必ずしもこれに限定されず適宜変更が可能である。例えば、いずれかの食器群又は両方の食器群が磁器製であってもよいし、ガラス製であってもよく、任意の素材で構成されていてよい。
【００４２】
また、実施例２においては、一方の食器群は２個の碗からなり、他方の食器群は２個の蓋からなる構成としたが、必ずしもこれに限定されず適宜変更が可能である。例えば、いずれの食器群も３個以上の食器から構成してもよい。また、一方の食器群の碗の数と他方の食器群の蓋の数とを異ならせてもよい。さらに、他方の食器群の２個の蓋は同じ絵柄が描かれていてもよい。
【００４３】
さらに、実施例２においては、共通の部分である碗内面４２に彩色した特定色を、緑色Ｇ、及び赤色Ｒとしたが、必ずしもこれに限定されず適宜変更が可能である。例えば、黄色、及び青色としてもよいし、任意の色を特定色として彩色させることができる。
【００４４】
（食器セットの使用方法）
一方の食器群３００から任意の碗（４０Ｇ又は４０Ｒ）を選択して一方の選択食器とし、また、他方の食器群４００から任意の蓋（５０又は６０）を選択して他方の選択食器とする。そして、一方の選択食器と他方の選択食器とを組合せて使用する。この際、他方の食器群４００における蓋５０及び蓋６０には一方の食器群３００における碗４０（４０Ｇ、４０Ｒ）の共通の部分であるそれぞれの碗内面４２に彩色された緑色Ｇ、及び赤色Ｒが全て彩色されていることで、どの碗４０を選択しても色合いが蓋５０及び蓋６０と調和することで、満足のいく組み合わせを実現できる。
【００４５】
さらに、実施例２においては、一方の食器群３００及び他方の食器群４００のいずれにも梅が描かれており、梅というテーマが共通している。このため、どの碗４０を選択しても梅というテーマが共通していることで蓋５０及び蓋６０と調和ためで、満足のいく組み合わせを実現できる。
【００４６】
また、その日の気分に合わせて、一方の選択食器を別の碗に替えて他方の選択食器と組み合わせてもよい。逆に一方の選択食器に組せる他方の選択食器を別の蓋に替えて組合せを楽しむことができる。いずれの場合も色合い及びテーマが調和して満足して組合せることができる。
【００４７】
このように、実施例２においては、複数の食器からなる一方の食器群と、前記一方の食器群とは異なる複数の食器からなる他方の食器群とで構成される食器セットであって、
前記一方の食器群における各食器の共通の部分にはそれぞれ異なる特定色を含む絵柄が描かれており、
前記他方の食器群における各食器には、前記一方の食器群における各食器の共通の部分に彩色した特定色が全て彩色された絵柄が描かれたことを特徴とする食器セットにより、一方の食器群における各食器の共通の部分に彩色した前記特定色が全て彩色された絵柄が他方の食器群における各食器に描かれたことで、一方の食器又は他方の食器のいずれかが割れたり欠けたりしても別の食器を選択して組合せを継続できるとともに、一方の食器群のいずれかの食器を選択して他方の食器群の任意の食器と組合せても色合いが調和して満足でき、日常的に組合せを変えることで飽きのこない食器の組合せを実現することができるという大きな効果を奏するものである。
【００４８】
また、実施例２においては、複数の食器からなる一方の食器群と、前記一方の食器群とは異なる複数の食器からなる他方の食器群とで構成される食器セットであって、前記一方の食器群における各食器の共通の部分にはそれぞれ異なる特定色を含む絵柄が描かれており、前記他方の食器群における各食器には、前記一方の食器群における各食器の共通の部分に彩色した前記特定色が全て彩色された絵柄が描かれたことを特徴とする食器セットを準備し、
前記一方の食器群から任意の食器である一方の選択食器を選択し、
前記他方の食器群から任意の食器である他方の選択食器を選択し、
前記一方の選択食器と前記他方の選択食器とを組合せて使用することを特徴とする食器セットの使用方法により、一方の食器群における各食器の共通の部分に彩色した特定色が全て彩色された絵柄が他方の食器群における各食器に描かれたことで、一方の食器又は他方の食器のいずれかが割れたり欠けたりしても別の食器を選択して組合せを継続できるとともに、一方の食器群のいずれかの食器を選択して他方の食器群の任意の食器と組合せても色合いが調和して満足でき、日常的に組合せを変えることで飽きのこない食器の組合せを実現することができるという大きな効果を奏するものである。
【産業上の利用可能性】
【００４９】
本発明における食器セット、及び食器セットの使用方法は、食器の組合せを行う分野に広く用いることができる。
【符号の説明】
【００５０】
１：カップ本体    ２：把手（共通の部分）    
１０（１０Ｇ、１０Ｒ、１０Ｂ）：コーヒーカップ（一方の食器）    
２０：ソーサ（他方の食器）    ３０：ソーサ（他方の食器）    
４０（４０Ｇ、４０Ｒ）：碗    
４２：碗内面（共通の部分）    
５０：蓋    ６０：蓋    
１００：一方の食器群    ２００：他方の食器群    
３００：一方の食器群    ４００：他方の食器群    
Ｇ：緑色    Ｒ：赤色    Ｂ：青色    
【要約】
【課題】一方の食器又は他方の食器のいずれかが割れても別の食器を選択して組合せを継続できるとともに、食器の組合せを変更して飽きのこない食器の組合せを実現することを課題とする。
【解決手段】複数の食器からなる一方の食器群１００と、前記一方の食器群とは異なる複数の食器からなる他方の食器群２００とで構成される食器セットであって、
前記一方の食器群における各食器の共通の部分２にはそれぞれ異なる特定色を含む絵柄が描かれており、
前記他方の食器群における各食器には、前記一方の食器群における各食器の共通の部分に彩色した前記特定色が全て彩色された絵柄が描かれたことを特徴とする食器セットとした。
【選択図】図１【図１】
0006969765.tif 000002
【図２】
0006969765.tif 000003
【図３】
0006969765.tif 000004
【図４】
0006969765.tif 000005
【図５】
0006969765.tif 000006
【図６】
0006969765.tif 000007
【図７】
0006969765.tif 000008
【図８】
0006969765.tif 000009